(57)【特許請求の範囲】
【請求項１】
動きの変化量を判定する動き変化量判定手段と、前記動き変化量判定手段に出力され、動き変化量判定の基準となるデータを設定する変化量設定手段を備え、動画像撮影時に、前記動き変化量判定手段の出力に基づいて、動き変化のあった場面毎に自動的にファイルを分割しヘッダー情報を付けて新たな動画ファイルを記録するとともに、動き変化のない部分は不記録とする機能を備えたことを特徴とする動画像記録装置。
【請求項２】
請求項１記載の動画像記録装置において、前記データの初期状態を設定するデフォルト設定記憶手段を備えたことを特徴とする動画像記録装置。
【請求項３】
請求項１記載の動画像記録装置において、ユーザーが前記データを任意に設定するユーザー設定手段を具備したことを特徴とする動画像記録装置。
【請求項４】
請求項１記載の動画像記録装置において、前記データの初期状態を設定するデフォルト設定記憶手段と、ユーザーが前記データを任意に設定するユーザー設定手段と、前記デフォルト設定記憶手段で設定されている前記データを用いるか、前記ユーザー設定手段で設定された前記データを用いるかを切替手段で切り替えることを特徴とする動画像記録装置。
【請求項５】
請求項１記載の動画像記録装置において、前記動画像撮影時の映像信号を前記ファイルとしてメモリに一旦記憶する機能、前記メモリから読み出して後、圧縮処理した前記映像信号を前記動き変化量判定手段の出力に基づいて、前記動き変化のない部分については不記憶とし前記動き変化のあった場面毎に前記ファイルを分割して再度前記メモリに記憶する機能、及び前記メモリに再度記憶した前記圧縮処理した映像信号を前記ヘッダー情報を付けて前記新たな動画ファイルとして記録媒体に記録する機能を備えていることを特徴とする動画像記録装置。
【発明の詳細な説明】
【０００１】
【発明の属する技術分野】
本発明は、動画像撮影時に動き変化のあった場面毎に動画ファイルを記録することができる動画像記録装置に関する。
【０００２】
【従来の技術】
動画像記録装置についての従来の技術について、図２に基づいて以下に説明する。
【０００３】
図２は、従来の動画像記録装置のブロック図を示す。動画像記録装置は、ＣＣＤ，ＡＧＣなどを含む画像入力部２０１、ＹＵＶ信号を生成する信号処理部２０２、システム全体を制御する制御部２０３、ＤＭＡコントローラ２０４、メモリ２０５、画像圧縮伸長部２０６、圧縮データをメディアに記録、読み出しする記録読み出し部２０７、記録媒体２０８、表示部インターフェース２０９、及びディスプレイ２１０を備える。
【０００４】
まず、撮影した動画像の記録動作について説明する。撮影された被写体の光信号は画像入力部２０１に入力され、光電変換されてアナログ映像信号となり、ＡＧＣ等の処理を施され信号処理部２０２へ出力される。
【０００５】
信号処理部２０２に入力された映像信号は、Ａ／Ｄ変換されデジタル信号に変換されるとともに、ガンマ補正、フィルタリング、輪郭強調処理等の処理が施され、Ｙ（輝度）、Ｕ（赤の色差）、Ｖ（青の色差）信号が生成される。
【０００６】
制御部２０３はプログラムに基づいて生成されたＹ，Ｕ，Ｖ信号をメモリ２０５に記憶する。
【０００７】
次に、記憶されたデジタル映像信号は、ＤＭＡコントローラ２０４を介して画像圧縮伸長部２０６へ読み出され圧縮処理される。
【０００８】
圧縮されたデータは、一旦メモリ２０５に記憶された後、制御部２０３により所定のフォーマットに従って、ヘッダー情報を付けられた後に、記録読み出し部２０７を介して記録媒体２０８に記録される。
【０００９】
長時間の動画記録の場合は、数回に分けて圧縮が行われ記録媒体２０８に記録する時に１つのファイルとして記録される。
【００１０】
従って、撮影開始時刻を記録したヘッダーは、記録開始した際の１回目の圧縮のみで付けられる。
【００１１】
次に、記録した動画像の再生時の動作を説明する。記録媒体２０８に記録されている１つの動画ファイルは、記録読み出し部２０７により読み出され、ＤＭＡコントローラ２０４を介してメモリ２０５に記憶される。
【００１２】
次に、メモリ２０５から制御部２０３にヘッダー情報が読み込まれ、記録されている撮影開始時刻が読まれる。
【００１３】
また、メモリ２０５に書き込まれた画像データは、メモリ２０５からＤＭＡコントローラ２０４を介して、圧縮伸長部２０６に送られ伸長処理されて、再びメモリ２０５に記憶される。
【００１４】
次に、メモリ２０５からの伸長データが、ＤＭＡコントローラ２０４、表示インターフェース２０９を介し、ディスプレイ２１０に送られ表示される。
【００１５】
【発明が解決しようとする課題】
従来の動画像記録装置では、撮影開始から終了までを１つのファイルとして記録するために、長時間の動画像記録の場合にはユーザーが所望のシーンをすぐに再生できないという問題点があった。
【００１６】
また、記録画像に全く変化がない場合でも記録し続けるという問題点があった。
【００１７】
本発明は以上述べたような従来技術の問題点に鑑みてなされたものであり、これを解決した動画像記録装置を提供するものである。
【００１８】
【課題を解決するための手段】
本発明は、動画像撮影時に動き変化のあった場面毎に自動的にファイルを分割してヘッダー情報を付けて新たな動画ファイルを記録する手段を具備するものである。また、動き変化のない部分は記録しないものである。
【００１９】
また、ユーザーが、動き変化量判定の基準となるデータを任意に設定する手段を具備するものである。
【００２０】
更に、この動画像記録装置は、動画像撮影時の映像信号をファイルとしてメモリに一旦記憶する機能、メモリから読み出して後、圧縮処理した映像信号を動き変化量判定手段の出力に基づいて、動き変化のない部分については不記憶とし動き変化のあった場面毎にファイルを分割して再度メモリに記憶する機能、及びメモリに再度記憶した圧縮処理した映像信号をヘッダー情報を付けて新たな動画ファイルとして記録媒体に記録する機能を備えるものである。
【００２１】
【発明の実施の形態】
本発明の一実施形態について説明する。なお、本発明の動画像記録装置と従来の動画像記録装置の再生時の動作は同じである。
【００２２】
図１は、本発明の動画像記録装置のブロック図を示す。
【００２３】
動画像記録装置は、ＣＣＤ，ＡＧＣなどを含む画像入力部１０１、ＹＵＶ信号を生成する信号処理部１０２、システム全体を制御する制御部１０３、ＤＭＡコントローラ１０４、メモリ１０５、画像圧縮伸長部１０６、圧縮データをメディアに記録、読み出しする記録読み出し部１０７、記録媒体１０８、表示部インターフェース１０９、ディスプレイ１１０、変化量設定部１１１、設定記憶部１１２、トリガ判定部１１３、デフォルト設定記憶部１１４、及び切替手段としての切り替えスイッチ１１５を備える。
【００２４】
まず、撮影時の動作説明をする。あらかじめ切り替えスイッチ１１５を用いて、動き変化量判定の基準となるデータとしてのトリガ撮影時の変化量（＝動きベクトルの大きさ・マクロブロック数）をユーザーが設定するかデフォルト値を用いるかを選択する。
【００２５】
ユーザーが設定する場合は撮影前に変化量設定部１１１を介して、トリガ撮影時の変化量を設定記憶部１１２に設定する。
【００２６】
デフォルト値を用いる場合はデフォルト設定記憶部１１４の値がトリガ撮影時の変化量として使用される。
【００２７】
撮影を開始すると撮影された被写体の光信号は画像入力部１０１に入力され、光電変換されてアナログ映像信号となり、ＡＧＣ等の処理を施され信号処理部１０２へ出力される。
【００２８】
信号処理部１０２に入力された映像信号は、Ａ／Ｄ変換されデジタル信号に変換されるとともに、ガンマ補正、フィルタリング、輪郭強調処理等の処理が施され、Ｙ（輝度）、Ｕ（赤の色差）、Ｖ（青の色差）信号が生成される。
【００２９】
制御部１０３はプログラムに基づいて生成されたＹ，Ｕ，Ｖ信号をＤＭＡコントローラ１０４を介してメモリ１０５に記憶する。
【００３０】
次に、記憶されたデジタル映像信号は、ＤＭＡコントローラ１０４を介して画像圧縮伸長部１０６へ読み出され圧縮処理される。
【００３１】
圧縮されたデータは、一旦メモリ１０５に記憶された後、制御部１０３により所定のフォーマットに従って、ヘッダー情報を付けられた後に、記録読み出し部１０７を介して記録媒体１０８に記録される。
【００３２】
次に、入力画像の変化が少なくなった場合の動作を説明する。Ｙ，Ｕ，Ｖ信号をメモリ１０５に記憶するまでの動作は従来と同じである。
【００３３】
記憶されたデジタル映像信号は、ＤＭＡコントローラ１０４を介して画像圧縮伸長部１０６へ読み出され圧縮処理される。
【００３４】
この際、ひとつ前の画像と現在処理された画像の動きの変化量（＝動きベクトル・輝度）と設定記憶部１１２に設定された変化量とをトリガ判定部１１３に送り、動きの変化量の方が少ない場合はトリガ判定部１１３から制御部１０３にエンド信号が送られる。
【００３５】
制御部１０３がエンド信号を検知すると制御部１０３はＤＭＡコントローラ１０４を制御し、圧縮されたデータをメモリ１０５に記憶せずに一旦記録を終了し、１つの動画ファイルを作成する。
【００３６】
ここで動きの変化量の判定について説明する。通常、動きベクトルは１６ｘ１６画像のマクロブロック毎に求められる。
【００３７】
ＱＶＧＡ（３２０ｘ２４０）の画像は３００マクロブロックから成る。
【００３８】
例えば、トリガ撮影時の変化量が、動きベクトルの大きさを１０、５マクロブロックで設定されている場合、動きベクトルの大きさが１０以上のマクロブロックが５個以上ある場合に動きの変化量が多いと判定される。
【００３９】
つまり、上記条件を満たさない画像は記録されない。条件はユーザー設定により任意に変化させることが出来る。
【００４０】
この実施例では条件を満たさない画像は記録しないが、条件を満たさない画像が現れた場合に直ちに記録しないとするのではなく、条件を満たさない画像が何フレームか連続すると記録しないとすることが可能である。
【００４１】
次に、再び入力画像に変化が生じた場合の動作を説明する。Ｙ，Ｕ，Ｖ信号をメモリ１０５に記憶するまでの動作は従来と同じである。
【００４２】
記憶されたデジタル映像信号は、ＤＭＡコントローラ１０４を介して画像圧縮伸長部１０６へ読み出され圧縮処理される。
【００４３】
この際、ひとつ前の画像と現在処理された画像の動きの変化量と設定記憶部１１２に設定された変化量とをトリガ判定部１１３に送り、動きの変化量の方が大きい場合はトリガ判定部１１３から制御部１０３にスタート信号が送られる。
【００４４】
制御部１０３がスタート信号を検知すると制御部１０３はＤＭＡコントローラ１０４を制御し、圧縮されたデータを一旦メモリ１０５に記憶し、所定のフォーマットに従ってヘッダー情報を付けた後に、記録読み出し部１０７を介して記録媒体１０８に新たな動画ファイルとして記録する。
【００４５】
再び制御部１０３がエンド信号を検知するまでは従来と同じように数回に分けて圧縮を行い記録媒体１０８に記録する。
【００４６】
【発明の効果】
従来の動画像記録装置では、ヘッダー情報が記録開始時に１回目の圧縮のみで付けていることが後での検索を困難にしていたが、本願請求項１項の装置によれば、変化のあった場面毎にファイルを分割しヘッダー情報を付けて新たな動画像を記録することにより、ユーザーの所望のシーンをヘッダー情報に基づいてすぐに再生することができ、また、動き変化のあった場面のみを記録可能な動画像記録装置を提供することができる。
【００４７】
本願請求項２項の装置によれば、操作の苦手な年寄りや女性でも面倒なく、操作のできる動画像記録装置を提供することができる。
【００４８】
本願請求項３項の装置によれば、ユーザーの意志通りのファイルを分割及び必要な場面のみを記録可能な動画像記録装置を提供することができる。
【００４９】
本願請求項４項の装置によれば、デフォルト値を用いるか、ユーザー設定値を用いるかを選択することが可能となり、使い勝手のよい動画像記録装置を提供することができる。
【００５０】
本願請求項５項の装置によれば、メモリへの記憶と記録媒体への記録とを組み合わせることで、ファイルの分割、及びヘッダー情報を付けた動画ファイルの作成が容易となる。
【図面の簡単な説明】
【図１】本発明の動画像記録装置の構成を示す図である。
【図２】従来の動画像記録装置の構成を示す図である。
【符号の説明】
１０１、２０１・・・画像入力部
１０２、２０２・・・信号処理部
１０３、２０３・・・制御部
１０４、２０４・・・ＤＭＡコントローラ
１０５、２０５・・・メモリ
１０６、２０６・・・画像圧縮伸長部
１０７、２０７・・・記録読み出し部
１０８、２０８・・・記録媒体
１０９、２０９・・・表示インターフェース
１１０、２１０・・・ディスプレイ
１１１・・・変化量設定部
１１２・・・設定記憶部
１１３・・・トリガ判定部
１１４・・・デフォルト設定記憶部
１１５・・・切り替えスイッチ
【図１】
0003630608.tif 000002
【図２】
0003630608.tif 000003